(57)【要約】      （修正有）【課題】高い確実性で、労力および費用をほとんどかけずに、非常に広範な用途で使用することができる、スナップ留め固定デバイスを提供する。【解決手段】２つの平行なウェブ１１，１２によって画定されたスロット１０を有する組立てレール１に少なくとも１つのソーラーパネル４を固定するための固定デバイス２であって、２つのロッキングフック２１，２２間のインターロック位置に挿入することができる少なくとも１つのインターロック部材４１が設けられ、インターロック部材４１が、インターロック位置で２つのロッキングフック２１，２２が互いに近付くことを妨げることを教示する。【選択図】図１
2013253695.tif 000002
【特許請求の範囲】
【請求項１】
２つの平行なウェブ（１１、１２）によって画定されたスロット（１０）を有する組立てレール（１）に少なくとも１つのソーラーパネル（４）を固定するための固定デバイス（２）であって、
２つのロッキングフック（２１、２２）を有するロック部材（２０）と、前記ロック部材（２０）に接続されたソーラーパネル（４）のための少なくとも１つの据付け部材（５０）と、を備え、前記ロック部材（２０）は、少なくとも一部分の弾性変形下で、前記ロッキングフック（２１、２２）を前記スロット（１０）内に導入することができ、次いで、弾性変形の解放下で、前記ロック部材（２０）が弛緩するときに、前記ロッキングフック（２１、２２）が、前記組立てレール（１）の前記ウェブ（１１、１２）の背後に達することができるように構成された固定デバイス（２）において、
少なくとも１つのインターロック部材（４１、４２）が設けられ、前記インターロック部材（４１、４２）を、２つの前記ロッキングフック（２１、２２）間のインターロック位置に押し込むことができ、前記インターロック部材（４１、４２）が、前記インターロック位置で前記２つのロッキングフック（２１、２２）が互いに近付くのを妨げることを特徴とする固定デバイス（２）。
【請求項２】
前記組立てレール（１）上に支持プレート（４０）が支持されるように設けられ、
前記インターロック部材（４１、４２）は、前記支持プレート（４０）上に位置することを特徴とする請求項１に記載の固定デバイス（２）。
【請求項３】
前記支持プレート（４０）は、少なくとも１つの凹部（４９）、特に切欠または穴を有し、
前記凹部（４９）は、特に前記インターロック部材（４１、４２）が前記インターロック位置にあるときに前記ロック部材（２０）を取り囲むことを特徴とする請求項２に記載の固定デバイス（２）。
【請求項４】
前記インターロック部材（４１、４２）は、前記凹部（４９）内に突出することを特徴とする請求項３に記載の固定デバイス（２）。
【請求項５】
前記支持プレート（４０）は、前記組立てレール（１）上、特に前記組立てレール（１）の前記ウェブ（１１、１２）上で支持するための支持面（４８）を有し、
前記インターロック部材（４１、４２）は、前記支持プレート（４０）から前記支持面（４８）を越えて突出することを特徴とする請求項２〜４のいずれか一項に記載の固定デバイス（２）。
【請求項６】
前記支持プレート（４０）は、軸対称形であり、２つのインターロック部材（４１、４２）を有し、
前記インターロック部材（４１、４２）は、前記支持プレート（４０）から、前記支持プレート（４０）の対向する側に突出することを特徴とする請求項１〜５のいずれか一項に記載の固定デバイス（２）。
【請求項７】
前記インターロック部材（４１、４２）は、前記インターロック位置に挿入されるときに前記ロッキングフック（２１、２２）を押し離すように大きめのサイズであることを特徴とする請求項１〜６のいずれか一項に記載の固定デバイス（２）。
【請求項８】
前記インターロック部材（４１）は、２つのウェブ（４３、４４）を有し、
前記ウェブ（４３、４４）の間に凹部（４５）が形成されることを特徴とする請求項１〜７のいずれか一項に記載の固定デバイス（２）。
【請求項９】
前記ロック部材（２０）は、Ｕ字形であり、
前記据付け部材（５０）は、ねじ（５５）によって前記ロック部材（２０）に固定される
ことを特徴とする請求項１〜８のいずれか一項に記載の固定デバイス（２）。
【請求項１０】
ソーラーパネル（４）用の支持構造であって、
２つの平行なウェブ（１１、１２）によって画定されたスロット（１０）を有する組立てレール（１）と、請求項１〜９のいずれか一項に記載の固定デバイス（２）とを備え、
前記固定デバイス（２）の前記ロッキングフック（２１、２２）は、前記組立てレール（１）の前記２つのウェブ（１１、１２）の背後に達する、支持構造。
【請求項１１】
前記インターロック部材（４１、４２）は、前記インターロック位置に挿入されるときに、２つの前記ロッキングフック（２１、２２）を前記組立てレールの前記ウェブ（１１、１２）に押し当て、
前記２つのロッキングフック（２１、２２）は、前記インターロック部材（４１、４２）が前記インターロック位置にないとき、前記ウェブ（１１、１２）と所定の隙間を有する
ことを特徴とする請求項１０に記載の支持構造。
【請求項１２】
前記支持プレート（４０）は、前記組立てレール（１）を幅方向に越えて突出することを特徴とする請求項１０または１１に記載の支持構造。
【請求項１３】
少なくとも１つのソーラーパネル（４）は、前記据付け部材（５０）と前記支持プレート（４０）との間に位置することを特徴とする請求項１０〜１２のいずれか一項に記載の支持構造。
【請求項１４】
前記組立てレール（１）は、前記固定デバイス（２）によって保持されるソーラーパネル（４）の前記固定デバイス（２）に面する縁部と平行に延在することを特徴とする請求項１０〜１３のいずれか一項に記載の支持構造。
【発明の詳細な説明】
【技術分野】
【０００１】
本発明は、請求項１の前提部に記載の２つの平行なウェブによって画定されるスロットを有する組立てレールに少なくとも１つのソーラーパネルを固定するための固定デバイスに関する。上記タイプの固定デバイスには、２つのロッキングフックを備えるロック部材であって、ロック部材の少なくとも一部を弾性変形させながらロッキングフックをスロット内に挿入することができ、次いで、ロック部材の弛緩によって、ロッキングフックが組立てレールのウェブを背後から把持することができるロック部材と、当該ロック部材と接続されるソーラーパネルのための少なくとも１つの据付け部材とが備えられる。
【背景技術】
【０００２】
特許文献１は、プロファイルレールのスロットにスナップ留めすることができるソーラーパネル用の固定デバイスを記載する。特許文献２には、さらなるスナップ留めシステムが記載されている。
【先行技術文献】
【特許文献】
【０００３】
【特許文献１】欧州特許出願公開第１７６７７９３号明細書
【特許文献２】国際公開第２００７／１４３９８３号
【発明の概要】
【発明が解決しようとする課題】
【０００４】
本発明の目的は、特に高い確実性で、労力および費用をほとんどかけずに、非常に広範な用途で使用することができる、スナップ留め固定デバイスを提供する。
【課題を解決するための手段】
【０００５】
本発明は、請求項１に記載の特徴を有する固定デバイスによって、この目的を達成する。本発明の有利な実施形態は、従属クレームに記載される。
【０００６】
本発明によって特許請求する固定デバイスは、２つのロッキングフック間のインターロック位置に挿入することができる少なくとも１つのインターロック部材が設けられ、インターロック位置で、インターロック部材が、２つのロッキングフックが互いに近付くのを妨げることを特徴とする。
【０００７】
本発明によって特許請求する固定デバイスでは、ロック部材に２つの向かい合うロッキングフックが設けられ、上記ロッキングフックを、組立てレールのスロットにスナップ留めすることができる。このため、ロッキングフックは、スロットに挿入されるときにロック部材の弾性変形によって一時的に押し合わされるようにサイズ設定および配置される。この押し合わせは具体的には、ロック部材、および／またはロッキングフックに対して圧力を及ぼす組立てレールのウェブを手で押し合わせることによって行われる。ロッキングフックの係止突起がウェブを越えてレールの内部に移動するとすぐに、ロック部材は再び弛緩することができ、弾性変形を少なくとも一部、再び減少させることができる。それにより、ロッキングフックは、組立てレールのウェブの背後に回り込むまで、任意選択でさらにはウェブと接触するまで、再び互いに離れるように移動する。ロッキングフックは鉤状に設計されるので、このスナップ留め位置でのロック部材は、形状適合して組立てレールのウェブに係止され、それらが、レールの長手方向延在長さに対して直角、および／またはスロットの長手方向延在長さに対して直角の方向で落ちる、または引き出されるのを防止する。
【０００８】
本発明の基本的な教示は、ロッキングフックが組立てレールのスロットにスナップ留めされた後に、２つのロッキングフック間のインターロック位置に導くことができるインターロック部材にみることができる。このインターロック位置で、インターロック部材は、２つのロッキングフックが互いに近付くのを妨げるように作用するか、２つのロッキングフックが互いに近付くのを完全に妨げることができる。そのため、少なくとも、ロッキングフックは互いに近付きにくくなる。しかし、ロッキングフックをスロットから再び取り外すためには２つのロッキングフックが互いに近付く必要があるので、インターロック位置でのインターロック部材により、一方では、ロック部材が組立てレールから不適切にも外れないようにされる。他方で、インターロック部材はまた、大きめのサイズに、すなわちロッキングフック間の間隙よりも広くなるように設計することができる。その結果、インターロック位置にあるインターロック部材は、２つのロッキングフックを押し離し、組立てレールの２つのウェブに押し当てる。この場合、インターロック部材は、組立てレールのウェブに対するロッキングフックの摩擦を増加させることができる。これにより、ロック部材が組立てレールのスロットに沿って変位しないようにすることができる。
【０００９】
したがって、具体的には仮組立て状態を実現することが可能になる。仮組立て状態では、ロック部材は、スロット内にスナップ留めされているが、ロッキングフックと組立てレールのウェブとの間の隙間により、スロットに沿って比較的容易に移動することができる。インターロック部材がインターロック位置に導かれたときにはじめて、ロッキングフックがウェブに押し当てられ、それにより、長手方向変位を防止するように係止される。
【００１０】
組立てレールに対する好ましくは少なくとも間接的な支持、特には直接的な支持のための支持プレートが設けられると特に好ましく、また、インターロック部材が支持プレート上に位置すると特に好ましい。このタイプのプレートへの組込みによって、組立作業者は、インターロック部材を特に簡単に、かつ確実に位置決めすることができる。
【００１１】
また、支持プレートが少なくとも１つの凹部、具体的には切欠または穴を有し、特にインターロック部材がインターロック位置にあるときに、凹部がロック部材を取り囲むと有利である。この手段により、確実性をさらに高めることができる。これは、凹部の壁がストッパを形成することができるからであり、このストッパは、ロック部材に対する支持プレートの移動、したがってロッキングフックに対するインターロック部材のモーメントを制限することができ、その結果、インターロック部材がインターロック位置から偶発的に脱落するまたは引き出されるのを防止することができる。切欠という用語は、本明細書で使用するとき、特に、プレートの縁部に向かって開いた凹部を意味し、一方、穴は、閉じた円形の壁を有する、および／または支持プレートによって円形に取り囲まれている凹部を意味し得る。穴は、有利には、多角形断面、特に長方形断面、有利には正方形断面を有することができる。上記断面により、位置決めが容易となり得る。また、ロック部材は、組立てレールにロック部材を挿入する前でさえ、支持プレートの凹部内に導入することができる。したがって、例えば係留式に形成することができる。
【００１２】
インターロック部材が凹部内に突出すると特に有利である。これにより、非常にコンパクトで確実性の高い構成が得られる。
【００１３】
追加的な有利な構成は、インターロック位置にあるインターロック部材が組立てレールの２つのウェブの間に突出する構成である。この位置で、インターロック部材は、ロッキングフックを特に効果的に係止することができ、任意選択でウェブに押し当てることができる。特に、これらの条件下では、支持プレートが、組立てレール、具体的には組立てレールのウェブに少なくとも間接的に接触する、好ましくは直接接触するための支持面を有すると有利となることがあり、また、インターロック部材が支持面を越えて支持プレートから突出すると有利となることがある。インターロック部材は、好ましくは、支持面に対して鈍角で延び、および／または支持プレートから鈍角で突出する。これにより、とりわけ挿入を容易にすることができる。この角度は、好ましくは１７０°〜１１０°である。
【００１４】
さらに、支持プレートが２つのインターロック部材を有し、インターロック部材が、支持プレートの両側で支持プレートから突出すると有利である。これにより、機能を損うことなく支持プレートをどちら向きでも設置することができるので、確実性がさらに高まる。すなわち、組立作業者が、プレートをその上面で組立てレールと接触させるか、それとも下面で組立てレールと接触させるかは問題でない。特に、支持プレートは軸対称形にすることができる。これにより確実性をさらに高めることができる。ここで、支持面に平行に延びる、および／またはレールの長手方向に対して直角に延びる対称軸に対して軸対称であると好ましい。
【００１５】
別の発展形態では、インターロック部材は、インターロック位置に挿入されるときにロッキングフックを押し離すように、大きめのサイズにされる。この場合、インターロック部材は、有利には、ロック部材がスロットの長手方向で変位しないようにするために使用することもできる。なぜなら、インターロック部材は、その大きめのサイズにより、ロッキングフックを側方で外側へ組立てレールのウェブに押し当てることができるからである。
【００１６】
また、インターロック部材が２つのウェブを有し、ウェブの間に凹部が形成されると好適である。これにより、インターロック部材のばね作用を調節することができ、したがって確実性をさらに改善することができる。
【００１７】
ロック部材は、好ましくはＵ字形、具体的には鏡映対称形である。Ｕ字形であるとき、ロック部材は、２つの側脚部と、側脚部をつなぐ１つの中央脚部とを有する。２つの側脚部は、有利には、ロッキングフックによって形成される。
【００１８】
据付け部材は、好ましくは、ねじによってロック部材に固定することができる。据付け部材は、有利には貫通開口を有し、貫通開口を通してねじが挿入される。具体的には、ねじは、好ましくはロック部材の中央脚部によって、ロック部材にねじ留めすることができる。
【００１９】
本発明はまた、ソーラーパネル用の支持構造であって、２つの好ましくは平行なウェブによって画定されたスロットを有する組立てレールと、本発明によって特許請求される固定デバイスとを備え、有利には、固定デバイスのロッキングフックが、組立てレールの２つのウェブの背後に達し、したがってロッキングフックが定位置にスナップ留めされる構成、特に好ましくは、２つのロッキングフック間のインターロック位置にインターロック部材が挿入され、２つのロッキングフックが互いに近付くのを妨げる構成である支持構造に関する。
【００２０】
以上の結果、固定デバイスに関して述べた利点を、支持構造で実現することができる。
【００２１】
好ましい一発展形態では、インターロック部材は、インターロック位置に挿入されたときに、２つのロッキングフックを組立てレールのウェブに押し当て、および／または、インターロック部材がインターロック位置にないとき、２つのロッキングフックは、ウェブに対していくらかの隙間を有する。この構成では、インターロック部材が依然としてインターロック位置外にある限り、仮組立て状態を実現することができる。これは、その場合、スナップ留めされたロッキングフックとウェブとの間に隙間があるからであり、したがって、仮組立て状態では、少なくとも、スナップ留めされたロック部材がスロットから落ちにくくなるが、この状態ではまだ、ロック部材をスロット内で長手方向に実質的に制限無く押すことができる。インターロック部材をインターロック位置に移動したときにはじめて、嵌合状態が実現される。嵌合状態で、インターロック部材は、ロッキングフックを側方からウェブに押し当てる。したがって、ロッキングフックは、スロットの長手方向での移動を防ぐためにウェブに対して確実に、または不確実に係止される。
【００２２】
仮組立て状態では、インターロック部材は、特にロック部材のヘッド領域内に位置することができ、このとき、２つのロッキングフックは互いに比較的大きく離れている。ここから、ロック部材の内部に既にあるインターロック部材は、レールの長手方向延在長さに対して直角、および／またはスロットの長手方向延在長さに対して直角の方向にレールに向けて移動させて、インターロック位置にすることができる。
【００２３】
支持プレートが、少なくとも片側で、とりわけ両側で、有利には組立てレールおよび／またはそのスロットの長手方向に対して直角に、組立てレールを越えて突出するとさらに好ましい。この場合、支持プレートは、ソーラーパネルのための接触面をより大きくすることもできる。それにより、組立てレールは、特に小さな断面積で、したがって経済的に製造することができる。
【００２４】
好ましくは、少なくとも１つのソーラーパネル、好ましくは２つのソーラーパネルが、据付け部材と支持プレートとの間に位置する。この場合、支持プレートは、少なくとも１つのソーラーパネルを定位置にクランプするために使用することもでき、必要な材料の量を減少させることができる。少なくとも１つのソーラーパネルは、好適には、据付け部材と支持プレートとの間にクランプされる。
【００２５】
本発明によって特許請求される固定デバイスは、組立てレールが、固定デバイスによって保持されるソーラーパネルの、固定デバイスに面する１つの縁部に平行に延在する構成に特に適している。そのような構成により、ソーラーパネルの下での組立てレールの延在長さは、比較的大きい長手方向寸法に対して、幅方向寸法では比較的小さいので、本発明によって特許請求されるタイプの支持プレートによって、組立てレール上でのパネルの接触面をかなり大きくすることができる。
【図面の簡単な説明】
【００２６】
【図１】本発明によって特許請求される固定デバイスを有する本発明によって特許請求される支持構造と、インターロック位置でのインターロック部材との斜視図である。ここでは、見やすくするために、ソーラーパネルを１つだけ図示している。
【図２】インターロック位置にあるインターロック部材を備える図１の支持構造の断面図である。
【図３】インターロック位置にあるインターロック部材を備える図１の支持構造の長手方向断面図である。ここでは、簡潔化のために、据付け部材の半分を図示している。
【図４】図１の固定デバイスのロック部材の斜視図である。
【図５】図１の固定デバイスの支持プレートの斜視図である。
【図６】仮組立て状態を示すための、組立て中の図１の支持構造の斜視図である。
【図７】インターロック部材がインターロック位置にある、嵌合状態を示すための、組立て中の図１の支持構造の斜視図である。
【図８】図１の支持構造の部分斜視図である。
【発明を実施するための形態】
【００２７】
添付図面に概略的に示す有利な例示的実施形態を参照しながら、以下に本発明をより詳細に説明する。
【００２８】
図面は、本発明によって特許請求される固定デバイスを備える、本発明によって特許請求される支持構造の例示的実施形態を示す。支持構造は、組立てレール１を有する。組立てレール１に長手方向に延在するスロット１０が、組立てレール１に形成される。スロット１０は、２つのウェブ１１および１２によって画定され、ウェブ１１および１２は、組立てレールに沿って延在する。組立てレールは、特に押出成形することができ、および／またはその長手方向延在長さに沿って一定の断面を有することができる。
【００２９】
また、支持構造は、固定デバイス２を有する。固定デバイス２によって、２つの隣接するソーラーパネル４および４’が組立てレール１に固定される。固定デバイス２は、中央脚部２３によって接続された２つの隣接するロッキングフック２１と２２を有するロック部材２０を有する。それにより、ロッキングフック２１および２２と、中央脚部２３とが、Ｕ字形断面を成す。第１のロッキングフック２１の端部に第１の係止突起２５が存在する。係止突起２５は、第１のロッキングフック２１の側部で第１のロッキングフック２１から外方向に突出する。第１のロッキングフック２１は、第２のロッキングフック２２とは逆向きである。第２のロッキングフック２２の端部に第２の係止突起２６が存在する。係止突起２６は、第２のロッキングフック２２の側部で第２のロッキングフック２２から突出する。第２のロッキングフック２２は、第１のロッキングフック２１とは逆向きである（例えば、図４参照）。図２に示されるように、上記鉤状の係止突起２５および２６は、ロック部材２０がスロット１０にスナップ留めされると、それぞれ組立てレール１のウェブ１１および１２の背後に達する。
【００３０】
特に図４に示されるように、ロッキングフック２１および２２はまた、それぞれストッパウェブ２７および２８を有する。ストッパウェブ２７、２８は、組立てレール１のウェブ１１および１２の上に直立するので、スロット１０内へのロック部材２０の挿入を制限する。図４にさらに示されるように、２つのロッキングフック２１および２２は、係止領域３２よりもヘッド領域３１で互いに大きく離れている。ここで、ヘッド領域３１は、係止領域３２と中央脚部２３との間に位置する。係止領域３２は、ヘッド領域３１よりも係止突起２５、２６の近くに位置する。ヘッド領域３１は、係止領域３２よりも中央ウェブ２３に近い。
【００３１】
また、固定デバイス２は支持プレート４０を有する。支持プレート４０は、特に図５に示されている。図５に示されるように、支持プレート４０は、ほぼ長方形の底面区域、具体的には正方形の底面区域を有する。支持プレート４０は、長方形、とりわけ正方形の底面区域を有する穴の形状の凹部４９を中央に有する。ロック部材２０は、この凹部４９を通過することができる。
【００３２】
支持プレート４０の上に、第１のインターロック部材４１が設けられる。第１のインターロック部材４１は、凹部４９の縁部から、凹部４９の突出域内に突出する。特に図２および図３に示されるように、このインターロック部材４１はインターロック位置に移動させることができる。インターロック位置で、インターロック部材４１は、２つのロッキングフック２１と２２が互いに近付くこと、特にそれらの係止突起２５および２６が互いに近付くことを妨げる。また、インターロック位置で、インターロック部材４１は、２つのロッキングフック２１および２２をそれぞれスロット１０のウェブ１１および１２に押し当てる。インターロック位置で、インターロック部材は、狭い係止領域３２内に位置し、加えられる力が特に高い場合には、好ましくは組立てレール１のウェブ１１と１２の間に位置する。
【００３３】
特に図５に示されるように、インターロック部材４１はＵ字形状であり、第１のロッキングフック２１に対するストッパとしての第１のウェブ４３と、第２のロッキングフック２２に対するストッパとしての第２のウェブ４４とを有し、２つのウェブ４３と４４の間に凹部４５が存在する。特に図２および図３に示されるように、支持プレート４０は支持面４８を有する。支持面４８は、インターロック部材４１がインターロック位置にあるときに、組立てレール１、具体的にはそのウェブ１１および１２に外側で接触する。特に図３に示されるように、インターロック部材４１は、この支持面４８を越えて、支持プレート４０からある角度で突出する。
【００３４】
特に図３および図５に示されるように、支持プレート４０はまた、第１のインターロック部材４１に加えて、追加のインターロック部材４２を有する。インターロック部材４２は、凹部４９の向かい側に位置し、支持面４８と反対側の平坦面上で支持プレート４０から突出する。第２のインターロック部材４２は、第１のインターロック部材４１と同様に、２つのウェブと、中央凹部とを有する。支持プレート４０は、本質的に対称形であり、特に、好ましくは支持面４８に平行に延在する軸に対して軸対称である。
【００３５】
また、固定デバイス２は、ねじ５５と、据付け部材５０とを有する。ここで、ねじ５５は、据付け部材５０を通って延在し、ねじ５５の頭部により、ねじ５５の上に据付け部材５０が係止される。ねじ５５は、ロック部材２０内、特にロック部材２０の中央脚部２３内にねじ留めされる。ねじ５５は、好ましくは、据付け部材５０内で制限無く回転できる。
【００３６】
組立てレール１への固定デバイス２の設置が、図６および図７に示される。まず、ロック部材２０が支持プレート４０内に導入され、ロック部材２０が、図６に示されるように支持プレート４０と共に、組立てレール１のスロット１０にスナップ留めされる。したがって、支持プレート４０はまだプレアセンブル位置にある。プレアセンブル位置では、２つのインターロック部材４１および４２がヘッド領域３１内にあり、２つのロッキングフック２１と２２が互いに比較的大きく離れている。したがって、プレアセンブル位置でのロッキングフック２１および２２は、インターロック部材４１および４２によってまだ作用を受けていない。ロッキングフック２１および２２は、それらとウェブ１１および１２との間にいくらかの隙間があるように設計されるので、組立てプロセスにおけるこの時点では、組立作業者がまだ組立てレール１に沿って比較的制限無くロック部材２０を移動させることができる。
【００３７】
ロック部材２０を所望の最終位置にしたところで、組立作業者は、支持プレート４０を組立てレール１に向けて押し下げ、図７に示される位置にする。このインターロック位置では、インターロック部材４１は、図２に示されるように、係止領域３２内のそのインターロック位置に導かれる。この位置で、ロッキングフック２１および２２は、インターロック部材４１によってウェブ１１および１２に押し当てられる。その結果、ロック部材２０により、意図的でないまたは偶発的な組立てレール１に沿った変位が防止される。ロック部材２０を変位させる必要がまだある場合、組立作業者は、支持プレート４０を持ち上げて、図６に示される仮組立て位置に戻すことができる。
【００３８】
ロック部材２０が組立てレール１上で適正な位置にくると、図１および図２に示されるように、ソーラーパネル４および４’（具体的には太陽電池パネルとし得る）が、支持プレート４０上に配置される。次いで、据付け部材５０が、ねじ５５によってロック部材２０に固定され、ねじ５５を締めることによって、ソーラーパネル４および４’は、一方の側にある据付け部材５０と、他方の側にある、支持プレート４０を有する組立てレール１との間にクランプされ、ひいては組立てレール１に固定される。ここでは、ソーラーパネル４および４’が支持プレート４０に押し当てられているので、支持プレート４０は、外力を加えない限り、図６に示されるプレアセンブル位置に戻ることはもうない。すなわち、自己係止メカニズムが存在する。
【００３９】
図２に特に明瞭に示されるように、支持プレート４０は、組立てレール１を幅方向に越えて突出するので、ソーラーパネル４および４’に利用可能な接触面は、レールの幅によっては決定されない。組立てレール１を適宜細くして、経済的にすることができる。また、ロック部材２０は、隣接するソーラーパネル４と４’のためのスペーサとしても作用する。ロック部材２０により、支持プレート４０上の隣接するソーラーパネル４と４’が互いに接近することができる距離を制限し、据付け部材５０を、２つのソーラーパネル４と４’の間の領域内に上から設置することができるようにする。
【００４０】
支持プレート４０は、その両側に２つのインターロック部材４１および４２を有するので、かつ、支持プレート４０は好ましくは軸対称形であるので、支持プレートには明確な上下はなく、したがって、組立作業者が支持プレート４０を逆さに設置することはありえない。
【００４１】
インターロック部材４１および４２は、それらの形状により、すなわち、必ずしもそうではないが好ましくはそれらの凹部４５により、意図的にわずかに脆弱化されている。したがって、ロック部材２０と、スロット１０と、支持プレート４０との合計の公差が、係止領域３２でのロッキングフック２１と２２との間の間隙を狭めているときには、インターロック部材４１および４２をわずかに湾曲させることができる。ヘッド領域３１に面する係止領域３２の端部で、ヘッド領域３１からの距離が増加するにつれて、ロッキングフック２１と２２の間の距離を（例えば図８では６．４ｍｍから６ｍｍに）狭めることができる。このため、製造公差がある場合でさえ確実に嵌合する。
【図１】
2013253695.tif 000003
【図２】
2013253695.tif 000004
【図３】
2013253695.tif 000005
【図４】
2013253695.tif 000006
【図５】
2013253695.tif 000007
【図６】
2013253695.tif 000008
【図７】
2013253695.tif 000009
【図８】
2013253695.tif 000010
【手続補正書】
【提出日】平成25年8月28日(2013.8.28)
【手続補正１】
【補正対象書類名】図面
【補正対象項目名】図７
【補正方法】変更
【補正の内容】
【図７】
2013253695.tif 000011
【外国語明細書】
2013253695000001.pdf